(57)【要約】      （修正有）【課題】汚水浄化装置を提供する。【解決手段】濾過箱１、入水口２、排水口３、清潔箱、第１濾過ユニット、第２濾過ユニットおよび清潔手段を含み、入水口２は濾過箱１の上端に開設され、排水口３は濾過箱１の底端の一側に位置され、清潔箱は濾過箱１の一側に位置されかつ濾過箱１の内部に連通しており、第１濾過ユニットは濾過網ローラ４、第１ローラ軸５および駆動モータ６を含み、濾過網ローラ４は濾過箱１の内部の頂端に位置され、第１ローラ軸５は濾過網ローラ４を貫通しかつ濾過網ローラ４に固定接続され、第１ローラ軸５の一端は濾過箱１の一側の内壁に回動自在に接続されるとともに第１ローラ軸５の他端は濾過箱１の外部まで延伸しかつ駆動モータ６の出力端に固定接続され、駆動モータ６は取付プレートによって濾過箱１の一側壁に固定取付され、第２濾過ユニットは第１濾過ユニットの下方に位置される。【選択図】図１
0003232974.tif 000002
【実用新案登録請求の範囲】
【請求項１】
濾過箱（１）、入水口（２）、排水口（３）、清潔箱（１９）、第１濾過ユニット、第２
濾過ユニットおよび清潔手段を含み、前記入水口（２）は濾過箱（１）の上端に開設され
、前記排水口（３）は濾過箱（１）の底端の一側に位置され、前記清潔箱（１９）は濾過
箱（１）の一側に位置されかつ濾過箱（１）の内部に連通しており、前記第１濾過ユニッ
トは濾過網ローラ（４）、第１ローラ軸（５）および駆動モータ（６）を含み、前記濾過
網ローラ（４）は濾過箱（１）の内部の頂端に位置され、前記第１ローラ軸（５）は濾過
網ローラ（４）を貫通しかつ濾過網ローラ（４）に固定接続され、前記第１ローラ軸（５
）の一端は濾過箱（１）の一側の内壁に回動自在に接続されるとともに第１ローラ軸（５
）の他端は濾過箱（１）の外部まで延伸しかつ駆動モータ（６）の出力端に固定接続され
、前記駆動モータ（６）は取付プレートによって濾過箱（１）の一側壁に固定取付され、
前記第２濾過ユニットは第１濾過ユニットの下方に位置され、前記清潔手段は清潔箱（１
９）の内部に位置されかつ清潔手段は第１濾過ユニットの一側に位置されていることを特
徴とする汚水浄化装置。
【請求項２】
前記清潔手段は第２ローラ軸（１２）およびブラシローラ（１３）を含み、前記第２ロー
ラ軸（１２）の一端は清潔箱（１９）の一側の内壁に回動自在に接続されるとともに第２
ローラ軸（１２）の他端は清潔箱（１９）の外部まで延伸しかつプーリによって伝動ベル
ト（１８）が接続されており、前記伝動ベルト（１８）の一端はプーリによって第１ロー
ラ軸（５）に接続され、前記ブラシローラ（１３）は第２ローラ軸（１２）に固定外套さ
れかつブラシローラ（１３）は濾過網ローラ（４）の一側の表面に接触していることを特
徴とする請求項１に記載の前記汚水浄化装置。
【請求項３】
前記清潔箱（１９）の底端に第１放出口（１４）が開設され、かつ清潔箱（１９）の内部
の底端の一側に清潔フレーム（１５）が固定取付されており、前記清潔フレーム（１５）
にブラシ清潔歯（１７）が設けられ、前記ブラシ清潔歯（１７）はブラシローラ（１３）
の表面に接触していることを特徴とする請求項２に記載の前記汚水浄化装置。
【請求項４】
前記清潔フレーム（１５）の一側にデフレクター板（１６）が設けられ、前記デフレクタ
ー板（１６）はくりぬき構成とし、前記デフレクター板（１６）は傾斜状に設置されてお
り、前記デフレクター板（１６）の一端は清潔箱（１９）の内部の底端に固定接続される
とともにデフレクター板（１６）の他端は濾過網ローラ（４）の下方の一側に延伸してい
ることを特徴とする請求項３に記載の前記汚水浄化装置。
【請求項５】
前記濾過網ローラ（４）の下方に逆円台型案内筒（７）が設けられ、前記逆円台型案内筒
（７）の底端に出水口（８）が開設され、前記濾過箱（１）の内部に固定回転軸（１０）
が設けられ、前記固定回転軸（１０）の底端は濾過箱（１）の内部の底端に回動自在に接
続され、前記固定回転軸（１０）の頂端は翼片（９）が接続され、前記翼片（９）は出水
口（８）の直下方に位置していることを特徴とする請求項１に記載の前記汚水浄化装置。
【請求項６】
前記第２濾過ユニットは微細濾過網（２７）を含み、前記微細濾過網（２７）はソフト質
材とし、前記微細濾過網（２７）の中部は接続スリーブによって固定回転軸（１０）に移
動可能に外套されていることを特徴とする請求項１に記載の前記汚水浄化装置。
【請求項７】
前記微細濾過網（２７）の下方の両側にそれぞれ第１回動ロッド（１１）および第２回動
ロッド（２４）が設けられ、前記第１回動ロッド（１１）および第２回動ロッド（２４）
はそれぞれ固定回転軸（１０）の両側に位置されかつ濾過箱（１）に回動自在に接続され
ており、前記第１回動ロッド（１１）および第２回動ロッド（２４）にそれぞれカム（２
６）が設けられ、前記カム（２６）と微細濾過網（２７）の下面とが接触していることを
特徴とする請求項６に記載の前記汚水浄化装置。
【請求項８】
前記固定回転軸（１０）に固定枠（２３）が取付され、前記第１回動ロッド（１１）およ
び第２回動ロッド（２４）の一端はそれぞれ固定枠（２３）内まで延伸しかつ固定枠（２
３）に回動自在に接続されていることを特徴とする請求項７に記載の前記汚水浄化装置。
【請求項９】
前記固定回転軸（１０）に駆動ベベルギア（２２）が固定取付され、前記駆動ベベルギア
（２２）の両側に従動ベベルギア（２５）が噛合接続され、２個の前記従動ベベルギア（
２５）はそれぞれ第１回動ロッド（１１）および第２回動ロッド（２４）の一端に固定接
続されており、前記駆動ベベルギア（２２）と２個の前記従動ベベルギア（２５）はいず
れも固定枠（２３）の内部に位置していることを特徴とする請求項７に記載の前記汚水浄
化装置。
【請求項１０】
前記濾過箱（１）の側壁に第２放出口（２１）が開設され、前記第２放出口（２１）は微
細濾過網（２７）の一側に位置され、前記第２放出口（２１）の一側に収集溝（２０）が
設けられ、前記収集溝（２０）は濾過箱（１）の外壁に周回的に設置されていることを特
徴とする請求項１に記載の前記汚水浄化装置。
【考案の詳細な説明】
【技術の分野】
【０００１】
本実用新案は汚水処理技術分野に関するもので、特に、汚水浄化装置に関する。
【従来の技術】
【０００２】
周知のように、わが国の経済の急速な発展に伴って、環境汚染問題はますます深刻にな
っていた。その中で、水汚染の環境への危害は特にひどい。それで汚水浄化装置などを利
用して、汚水の処理を実施することが必要となる。また、汚水の浄化とは、物理的、化学
的、生物的方法などを利用して廃水処理を行って廃水を浄化し、汚染を減滅することによ
り、廃水の回収と多重化、水資源の十分利用という効果まで達成することをいう。
【０００３】
従来の汚水浄化装置は、汚水中に大量に含まれる不純物が原因で、汚水の濾過では不純物
がフィルター手段を塞ぐことがある。そして従来の濾過手段は、自己清潔機能を備えてい
ないため、濾過作業を中止して解体掃除を行わなければならなく、連続的作業ができず、
汚水処理の濾過効率が低いという欠点がある。したがって、改良の余地がある。
【考案の概要】
【０００４】
本実用新案の目的は、上記背景の技術に記載した、従来の汚水浄化装置においては、汚水
中に大量に含まれる不純物が原因で、汚水の濾過では不純物がフィルター手段を塞ぐこと
がある。そして従来の濾過手段は、自己清潔機能を備えていないため、濾過作業を中止し
て解体掃除を行わなければならなく、連続的作業ができず、汚水処理の濾過効率が低いと
いう欠点を克服できる汚水浄化装置を提供することにある。
【０００５】
上記の目的を実現するために、本実用新案は、下記の汚水浄化装置を提供する。該汚水浄
化装置は、濾過箱、入水口、排水口、清潔箱、第1濾過ユニット、第2濾過ユニットおよび
清潔手段を含み、前記入水口は濾過箱の上端に開設され、前記排水口は濾過箱の底端の一
側に位置され、前記清潔箱は濾過箱の一側に位置されかつ濾過箱の内部に連通しており、
前記第1濾過ユニットは濾過網ローラ、第1ローラ軸および駆動モータを含み、前記濾過網
ローラは濾過箱の内部の頂端に位置され、前記第1ローラ軸は濾過網ローラを貫通しかつ
濾過網ローラに固定接続され、前記第1ローラ軸の一端は濾過箱の一側の内壁に回動自在
に接続されるとともに第1ローラ軸の他端は濾過箱の外部まで延伸しかつ駆動モータの出
力端に固定接続され、前記駆動モータは取付プレートによって濾過箱の一側壁に固定取付
され、前記第2濾過ユニットは第1濾過ユニットの下方に位置され、前記清潔手段は清潔箱
の内部に位置されかつ清潔手段は第1濾過ユニットの一側に位置されている。
【０００６】
好ましくは、前記清潔手段は第2ローラ軸およびブラシローラを含み、前記第2ローラ軸の
一端は清潔箱の一側の内壁に回動自在に接続されるとともに第2ローラ軸の他端は清潔箱
の外部まで延伸しかつプーリによって伝動ベルトが接続されており、前記伝動ベルトの一
端はプーリによって第1ローラ軸に接続され、前記ブラシローラは第2ローラ軸に固定外套
されかつブラシローラは濾過網ローラの一側の表面に接触している。
【０００７】
好ましくは、前記清潔箱の底端に第1放出口が開設され、かつ清潔箱の内部の底端の一側
に清潔フレームが固定取付されており、前記清潔フレームにブラシ清潔歯が設けられ、前
記ブラシ清潔歯はブラシローラの表面に接触している。
【０００８】
好ましくは、前記清潔フレームの一側にデフレクター板が設けられ、前記デフレクター板
はくりぬき構成とし、前記デフレクター板は傾斜状に設置されており、前記デフレクター
板の一端は清潔箱の内部の底端に固定接続されるとともにデフレクター板の他端は濾過網
ローラの下方の一側に延伸していることを特徴とする請求項３。
【０００９】
好ましくは、前記濾過網ローラの下方に逆円台型案内筒が設けられ、前記逆円台型案内筒
の底端に出水口が開設され、前記濾過箱の内部に固定回転軸が設けられ、前記固定回転軸
の底端は濾過箱の内部の底端に回動自在に接続され、前記固定回転軸の頂端は翼片が接続
され、前記翼片は出水口の直下方に位置している。
【００１０】
好ましくは、前記第2濾過ユニットは微細濾過網を含み、前記微細濾過網はソフト質材と
し、前記微細濾過網の中部は接続スリーブによって固定回転軸に移動可能に外套されてい
る。
【００１１】
好ましくは、前記微細濾過網の下方の両側にそれぞれ第1回動ロッドおよび第2回動ロッド
が設けられ、前記第1回動ロッドおよび第2回動ロッドはそれぞれ固定回転軸の両側に位置
されかつ濾過箱に回動自在に接続されており、前記第1回動ロッドおよび第2回動ロッドに
それぞれカムが設けられ、前記カムと微細濾過網の下面とが接触している。
【００１２】
好ましくは、前記固定回転軸に固定枠が取付され、前記第1回動ロッドおよび第2回動ロッ
ドの一端はそれぞれ固定枠内まで延伸しかつ固定枠に回動自在に接続されている。
【００１３】
好ましくは、前記固定回転軸に駆動ベベルギアが固定取付され、前記駆動ベベルギアの両
側に従動ベベルギアが噛合接続され、2個の前記従動ベベルギアはそれぞれ第1回動ロッド
および第2回動ロッドの一端に固定接続されており、前記駆動ベベルギアと2個の前記従動
ベベルギアはいずれも固定枠の内部に位置している。
【００１４】
好ましくは、前記濾過箱の側壁に第2放出口が開設され、前記第2放出口は微細濾過網の一
側に位置され、前記第2放出口の一側に収集溝が設けられ、前記収集溝は濾過箱の外壁に
周回的に設置されている。
【００１５】
従来の技術と比べて、本実用新案の有益な効果は以下の通りである。
【００１６】
（１）本実用新案では、第1濾過ユニットを設けて、第1濾過ユニットの一側に清潔手段を
設けるている。これにより、濾過時に濾過網ローラの回動によって、濾過網ローラに落ち
付けた汚水を濾過網ローラにおけるスルーホールを介して落下させることができる。また
、汚水中の大粒不純物が濾過網ローラに付着することがあり、これに対して、濾過網ロー
ラの回動によって伝動ベルトが連動して、清潔手段におけるブラシローラを回動駆動する
ことによって、濾過網ローラに付着した不純物をブラシローラの回動により除去し、それ
によって濾過網ローラを塞ぐことを回避することができ、連続的濾過作業が可能で、使用
に便利である。
【００１７】
（2）本実用新案では、第2濾過ユニットを設けて、第2濾過ユニットの下方両側にそれぞ
れ第1回動ロッドと第2回動ロッドを設けている。これにより、初回濾過後の汚水が第2濾
過ユニットに落ちると、微細濾過網によってさらに濾過汚水中の小粒不純物を濾過するこ
とができる。また、第1回動ロッドと第2回動ロッドの回動と同時に、カムによって微細濾
過網を突っ立てて、微細濾過網を傾斜させることにより、微細濾過網上の不純物を傾斜ス
ロープに沿って下滑させて、第2放出口を介して放出させる。これによって、第2濾過ユニ
ットを適時的に清潔することができ、濾過効果が優れて、使用に便利である。
【図面の簡単な説明】
【００１８】
【図１】図１は本実用新案の全体構成模式図である。
【図２】図２は本実用新案の内部の一部構成正面模式図である。
【図３】図３は本実用新案の上面図である。
【図４】図４は本実用新案の図１におけるA部の一部構成模式図である。
【図５】図５は本実用新案の清潔フレーム構成模式図である。
【考案を実施するための形態】
【００１９】
図１〜５に示されるように、本実用新案は汚水浄化装置を提供する。前記汚水浄化装置は
、濾過箱１、入水口２、排水口３、清潔箱１９、第１濾過ユニット、第２濾過ユニットお
よび清潔手段を含み、前記入水口２は濾過箱１の上端に開設され、前記排水口３は濾過箱
１の底端の一側に位置され、前記清潔箱１９は濾過箱１の一側に位置されかつ濾過箱１の
内部に連通しており、前記第１濾過ユニットは濾過網ローラ４、第１ローラ軸５および駆
動モータ６を含み、前記濾過網ローラ４は濾過箱１の内部の頂端に位置され、前記第１ロ
ーラ軸５は濾過網ローラ４を貫通しかつ濾過網ローラ４に固定接続され、前記第１ローラ
軸５の一端は濾過箱１の一側の内壁に回動自在に接続されるとともに第１ローラ軸５の他
端は濾過箱１の外部まで延伸しかつ駆動モータ６の出力端に固定接続され、前記駆動モー
タ６は取付プレートによって濾過箱１の一側壁に固定取付され、前記第２濾過ユニットは
第１濾過ユニットの下方に位置され、前記清潔手段は清潔箱１９の内部に位置されかつ清
潔手段は第１濾過ユニットの一側に位置されている。
【００２０】
前記清潔手段は第２ローラ軸１２およびブラシローラ１３を含み、前記第２ローラ軸１２
の一端は清潔箱１９の一側の内壁に回動自在に接続されるとともに第２ローラ軸１２の他
端は清潔箱１９の外部まで延伸しかつプーリによって伝動ベルト１８が接続されており、
前記伝動ベルト１８の一端はプーリによって第１ローラ軸５に接続され、前記ブラシロー
ラ１３は第２ローラ軸１２に固定外套されかつブラシローラ１３は濾過網ローラ４の一側
の表面に接触している。濾過網ローラ４が回動すると、濾過網ローラ４を通した汚水が濾
過網ローラ４上のスルーホールを介して濾過箱１内に落ち込み、汚水中の大粒不純物が濾
過網ローラ４上に落ちる。濾過網ローラ４の回動と同時にブラシローラ１３が同期に回動
する。かつブラシローラ１３と濾過網ローラ４の表面とが接触しているので、ブラシロー
ラ１３によって濾過網ローラ４表面の不純物を清潔箱１９内へ掻き落とすことにより、濾
過網ローラ４を清潔することができるので、濾過網ローラ４の表面で塞ぐことを防止でき
、連続的濾過が可能である。
【００２１】
前記清潔箱１９の底端に第１放出口１４が開設され、かつ清潔箱１９の内部の底端の一側
に清潔フレーム１５が固定取付されており、前記清潔フレーム１５にブラシ清潔歯１７が
設けられ、前記ブラシ清潔歯１７はブラシローラ１３の表面に接触している。第１放出口
１４を開いて、清潔箱１９内の不純物を放出することができるとともに、ブラシ清潔歯１
７によりブラシローラ１３上のブラシを清潔することができるので、ブラシに不純物が付
けたことで清潔の効果を破壊することを回避する。  
【００２２】
前記清潔フレーム１５の一側にデフレクター板１６が設けられ、前記デフレクター板１６
はくりぬき構成とし、前記デフレクター板１６は傾斜状に設置されており、前記デフレク
ター板１６の一端は清潔箱１９の内部の底端に固定接続されるとともにデフレクター板１
６の他端は濾過網ローラ４の下方の一側に延伸している。デフレクター板１６によって、
濾過網ローラ４がブラシローラ１３に清潔された後に落下した不純物を清潔箱１９内に導
流する。くりぬき構成とすることにより、汚水の清潔箱１９内に入ることを回避する。
【００２３】
前記濾過網ローラ４の下方に逆円台型案内筒７が設けられ、前記逆円台型案内筒７の底端
に出水口８が開設され、前記濾過箱１の内部に固定回転軸１０が設けられ、前記固定回転
軸１０の底端は濾過箱１の内部の底端に回動自在に接続され、前記固定回転軸１０の頂端
は翼片９が接続され、前記翼片９は出水口８の直下方に位置している。初回濾過済みの汚
水が、逆円台型案内筒７によって收集されかつ出水口８より共通に排出される。汚水を翼
片９へフラッシュさせて、翼片９を回動させて固定回転軸１０を連動して回動させる。
【００２４】
前記第２濾過ユニットは微細濾過網２７を含み、前記微細濾過網２７はソフト質材とし、
前記微細濾過網２７の中部は接続スリーブによって固定回転軸１０に移動可能に外套され
ている。微細濾過網２７によって汚水を二次濾過することができるので、汚水中の小粒不
純物を濾出する。
【００２５】
前記微細濾過網２７の下方の両側にそれぞれ第１回動ロッド１１および第２回動ロッド２
４が設けられ、前記第１回動ロッド１１および第２回動ロッド２４はそれぞれ固定回転軸
１０の両側に位置されかつ濾過箱１に回動自在に接続されており、前記第１回動ロッド１
１および第２回動ロッド２４にそれぞれカム２６が設けられ、前記カム２６と微細濾過網
２７の下面とが接触している。第１回動ロッド１１、第２回動ロッド２４の回動と同時に
、カム２６が連動して回動する。カム２６が回動しながら微細濾過網２７を突っ立てて、
微細濾過網２７上の不純物が微細濾過網２７の傾斜スロープに沿って第２放出口２１１に
落ち、さらに第２放出口２１より収集溝２０内に排出する。
【００２６】
前記固定回転軸１０に固定枠２３が取付され、前記第１回動ロッド１１および第２回動ロ
ッド２４の一端はそれぞれ固定枠２３内まで延伸しかつ固定枠２３に回動自在に接続され
ている。第１回動ロッド１１、第２回動ロッド２４の回動と同時に、カム２６が連動して
回動しながら微細濾過網２７を突っ立てることができるので、微細濾過網２７の表面を容
易に清潔できる。
【００２７】
前記固定回転軸１０に駆動ベベルギア２２が固定取付され、前記駆動ベベルギア２２の両
側に従動ベベルギア２５が噛合接続され、２個の前記従動ベベルギア２５はそれぞれ第１
回動ロッド１１および第２回動ロッド２４の一端に固定接続されており、前記駆動ベベル
ギア２２と２個の前記従動ベベルギア２５はいずれも固定枠２３の内部に位置している。
固定回転軸１０が回動すると、駆動ベベルギア２２が連動して回動する。駆動ベベルギア
２２の回動と同時に、２個の従動ベベルギア２５が噛み合って回動する。それで第１回動
ロッド１１と第２回動ロッド２４が回動する。
【００２８】
前記濾過箱１の側壁に第２放出口２１が開設され、前記第２放出口２１は微細濾過網２７
の一側に位置され、前記第２放出口２１の一側に収集溝２０が設けられ、前記収集溝２０
は濾過箱１の外壁に周回的に設置されている。微細濾過網２７上の不純物が微細濾過網２
７の傾斜スロープに沿って第２放出口２１１に落ち、さらに第２放出口２１より収集溝２
０内に排出する。
【００２９】
汚水浄化装置の作動に際しては、以下のとおり特筆すべきである。
駆動モータ６が起動すると、駆動モータ６に連動して第１ローラ軸５が回動する。それで
濾過網ローラ４が回動する。第１ローラ軸５の回動と同時に、伝動ベルト１８に連動して
第２ローラ軸１２が回動する。第２ローラ軸１２の回動と同時に、ブラシローラ１３が連
動して同期的に回動する。入水口２より汚水を濾過箱１内に加入する。汚水は、先に濾過
網ローラ４に接触する。濾過網ローラ４により濾過された後に汚水が濾過箱１内に落ちる
。これとともに汚水中の大粒不純物が濾過網ローラ４の表面に落ちる。濾過網ローラ４が
回動しながらブラシローラ１３に接触する。ブラシローラ１３が回動しながら濾過網ロー
ラ４表面の不純物を掃除し清潔箱１９内に落下させる。ブラシローラ１３が回動しながら
ブラシ清潔歯１７に接触する。ブラシ清潔歯１７によってブラシローラ１３上のブラシを
清潔することができるので、ブラシに不純物が付けたら清潔の効果を破壊することを回避
する。またデフレクター板１６によって、濾過網ローラ４がブラシローラ１３に清潔され
た後に落下した不純物を清潔箱１９内に導流する。くりぬき構成とすることにより、汚水
の清潔箱１９内に入ることを回避する。初回濾過済みの汚水が、逆円台型案内筒７によっ
て收集されかつ出水口８より共通に排出される。汚水を翼片９へフラッシュさせて、翼片
９を回動させて固定回転軸１０を連動して回動させる。これとともに、汚水が微細濾過網
２７の表面に落ちて微細濾過網２７により汚水中の小粒不純物を濾出する。固定回転軸１
０が回動すると、駆動ベベルギア２２が連動して回動する。駆動ベベルギア２２の回動と
同時に、２個の従動ベベルギア２５が噛み合って回動する。それで第１回動ロッド１１と
第２回動ロッド２４が回動する。第１回動ロッド１１、第２回動ロッド２４の回動と同時
に、カム２６が連動して回動する。カム２６が回動しながら微細濾過網２７を突っ立てて
、微細濾過網２７上の不純物が微細濾過網２７の傾斜スロープに沿って第２放出口２１１
に落ちこみ、さらに第２放出口２１より収集溝２０内に排出する。したがって、本願考案
のように構成される地、適時的に微細濾過網２７の表面を清潔することができ、連続的濾
過作業が保証可能で、濾過の効率が高く、使用に便利である。
【符号の説明】
【００３０】
１  濾過箱
２  入水口
３  排水口
４  濾過網ローラ
５  第１ローラ軸
６  駆動モータ
７  逆円台型案内筒
８  出水口
９  翼片
１０  固定回転軸
１１  第１回動ロッド
１２  第２ローラ軸
１３  ブラシローラ
１４  第１放出口
１５  清潔フレーム
１６  デフレクター板
１７  ブラシ清潔歯
１８  伝動ベルト
１９  清潔箱
２０  収集溝
２１  第２放出口
２２  駆動ベベルギア
２３  固定枠
２４  第２回動ロッド
２５  従動ベベルギア
２６  カム
２７  微細濾過網
【図１】
0003232974.tif 000003
【図２】
0003232974.tif 000004
【図３】
0003232974.tif 000005
【図４】
0003232974.tif 000006
【図５】
0003232974.tif 000007